(57)【要約】  絵素電極（４）の凸部（４ａ）の少なくとも一部は、平面視において、コンタクトホール（１７）と重なるように形成されている。したがって、高品位な表示ができるとともに、高開口率および高透過率を有する液晶表示パネルを実現できる。
2011104956.tif 000002
【特許請求の範囲】
【請求項１】
第１の絶縁基板と、
第２の絶縁基板と、
上記第１の絶縁基板と上記第２の絶縁基板との間に挟持された負の誘電異方性を示す液晶層と、
複数の絵素とを備えた液晶表示パネルであって、
上記複数の絵素の各絵素において、同様に上記液晶層の液晶分子が複数の異なる方向に配向されるように、
上記第１の絶縁基板および上記第２の絶縁基板の内の何れか一方の基板における上記液晶層と接する側の面には、配向分割手段として突起および／または、切欠き部を有する共通電極が形成されており、
上記第１の絶縁基板および上記第２の絶縁基板の内の他方の基板における上記液晶層と接する側の面には、走査信号線と、データ信号線と、絵素電極とが形成されており、
上記絵素電極には、切欠き部と、凸部とが備えられており、
上記絵素電極は、上記絵素電極を制御するために備えられたアクティブ素子のドレイン電極と、絶縁層に形成された貫通孔を介して電気的に接続されており、
上記他方の基板において、上記絵素電極は、上記絶縁層より上記液晶層側に形成されており、
上記絵素電極の凸部の少なくとも一部は、平面視において、上記貫通孔と重なるように形成されていることを特徴とする液晶表示パネル。
【請求項２】
上記絵素電極には、一方の絵素電極に隣接する他方の絵素電極の凸部を少なくとも一部収容できるように、上記絵素電極の一部が切欠かれた凹部が備えられていることを特徴とする請求項１に記載の液晶表示パネル。
【請求項３】
上記絵素電極の凹部の少なくとも一部は、上記一方の基板における上記液晶層と接する側の面に、配向分割手段として形成された突起および／または、共通電極の切欠き部と、平面視において略平行に形成されていることを特徴とする請求項２に記載の液晶表示パネル。
【請求項４】
上記他方の基板における上記液晶層と接する側の面に備えられた配線は、シールド電極より上記基板側に形成されており、
上記絵素電極の凹部において、上記配線の一部が露出されている箇所の少なくとも一部は、平面視において、上記シールド電極と重なるように形成されていることを特徴とする請求項２または３に記載の液晶表示パネル。
【請求項５】
上記絵素電極の凹部には、上記凹部の一部が切欠かれた配向分割手段として第２の切欠き部が形成されていることを特徴とする請求項２から４の何れか１項に記載の液晶表示パネル。
【請求項６】
上記絵素電極の凸部の少なくとも一部は、平面視において、上記アクティブ素子のドレイン電極に接続された蓄積容量対向電極と絶縁層と蓄積容量配線に接続された蓄積容量電極とで構成される蓄積容量の形成領域と重なるように形成されていることを特徴とする請求項１から５の何れか１項に記載の液晶表示パネル。
【請求項７】
一部が露出された上記配線は、上記走査信号線であり、
上記シールド電極は、上記絵素電極または、上記データ信号線と同一層によって形成されていることを特徴とする請求項４に記載の液晶表示パネル。
【請求項８】
上記第１の絶縁基板および上記第２の絶縁基板の何れか一方の基板における上記液晶層と接する側の面には、
第２の突起が、上記貫通孔の端部の少なくとも一部と、平面視において重なるように形成されていることを特徴とする請求項１から７の何れか１項に記載の液晶表示パネル。
【請求項９】
上記液晶層の厚さを保持するためのフォトスペーサーは、
上記絵素電極の切欠き部に形成されていることを特徴とする請求項１から８の何れか１項に記載の液晶表示パネル。
【請求項１０】
平面視において、上記絵素電極の凸部における上記貫通孔と重なる上記第１の絶縁基板および上記第２の絶縁基板の何れか一方の基板における上記液晶層と接する側の面には、少なくとも一部遮光層が形成されていることを特徴とする請求項１から９の何れか１項に記載の液晶表示パネル。
【請求項１１】
請求項１から１０に記載の液晶表示パネルを備えていることを特徴とする液晶表示装置。
【発明の詳細な説明】
【技術分野】
【０００１】
本発明は、液晶表示パネルおよび液晶表示装置に関し、特には、１絵素を複数のドメインに分割させ、液晶分子を多方向に配向できる液晶表示パネルおよび液晶表示装置に関するものである。
【背景技術】
【０００２】
近年、ブラウン管（ＣＲＴ）に代わり急速に普及している液晶表示装置は、省エネ型、薄型、軽量型等の特徴を活かしテレビ、モニター、携帯電話等に幅広く利用されている。【０００３】
特に、最近においては、駆動電源として限られた容量を有するバッテリーと、表示手段として液晶表示装置とを備えた、いわゆるモバイル機器が増加している。【０００４】
これらのモバイル機器においては、限られた容量を有するバッテリーが駆動電源として用いられているため、モバイル機器の連続駆動時間をより長くするためには、液晶表示装置の消費電力の低減が、より一層重要視されるようになっている。【０００５】
そこで、液晶表示装置に備えられた液晶表示パネルの開口率および透過率を上げ、その分、バックライトの光量を削減し、結果として液晶表示装置の低消費電力化を実現する技術が注目されている。【０００６】
液晶表示装置において、従来から最も一般的に使用されて来たのが、正の誘電率異方性を有する液晶分子を用いるＴＮ（Ｔｗｉｓｔｅｄ  Ｎｅｍａｔｉｃ）モード方式である。しかしながら、このＴＮモード方式の液晶表示装置のコントラストや色調などの画質は、上記液晶表示装置を正面方向から見た場合に比べて、上下左右の斜め方向から見た場合に、著しく劣るという問題がある。【０００７】
すなわち、上記ＴＮモード方式の液晶表示装置は、画質の視野角依存性が大きいため、正面方向以外からの観賞が想定される用途には不向きである。【０００８】
このような画質の視野角依存性を改善した液晶表示装置としては、ＩＰＳ（Ｉｎ−Ｐｌａｎｅ  Ｓｗｉｔｃｈｉｎｇ）モードの液晶表示装置、ＭＶＡ（Ｍｕｌｔｉ−ｄｏｍａｉｎ  Ｖｅｒｔｉｃａｌ  Ａｌｉｇｎｍｅｎｔ）モードの液晶表示装置などが知られている。【０００９】
しかし、上記ＩＰＳモードの液晶表示装置においては、印加電圧に応じて基板面に平行な面内で液晶分子の向きが変化するので、画質の視野角依存性は大きく改善されるものの、ＴＦＴ基板側において、絵素毎に上記液晶分子を基板面に平行な面内で制御するために設けられた二つの電極上には、液晶分子を制御することができない領域が存在し、実質的な開口率の低下を招いてしまうという問題がある。【００１０】
一方、ＭＶＡモードの液晶表示装置においては、液晶層を挟持する一対の基板の少なくとも一方における上記液晶層と接する面には、配向分割手段として突起物や切欠き部を有する透明電極の何れか、または、これらの組み合わせが設けられており、これにより、各絵素内において、液晶分子が配向される方向がそれぞれ異なる領域を形成し、広視野角特性を実現している。【００１１】
しかしながら、近年、液晶表示装置の高精細化が進み、一絵素サイズは縮小される傾向にあり、このような絵素には、さらに配向分割手段として突起物や切欠き部を有するようにパターニングされた透明電極が備えられているため、一絵素の有効開口率も小さくなる傾向にある。【００１２】
各絵素内において、絵素のエッジ部やブラックマトリクス形成領域、コンタクトホール部などの段差部においては、液晶分子の配向乱れが生じ、特に、上述したような一絵素の有効開口率が小さい場合には、各絵素において、液晶分子の配向乱れが生じる領域の割合が大きくなる。【００１３】
その結果、微小なパターンの仕上がりばらつき（製造ばらつき）による液晶分子の配向乱れの違いにより、各絵素毎に輝度の違いが生じ、ざらつきとして視認され、液晶表示装置の表示品位の低下を招いてしまう。【００１４】
このようなざらつきによる表示品位の低下を抑制するためには、液晶分子の配向乱れが生じる領域における液晶分子の配向をより安定化できるようにパターニングされた透明電極を用いたり、ざらつき発生領域を遮光したりすることが考えられる。【００１５】
例えば、特許文献１には、３個の多角形の透明電極部分を直列に接続した形状の絵素電極を備えた垂直配向方式の液晶表示装置について記載されている。【００１６】
図１２は、上記垂直配向方式の液晶表示装置における絵素電極の概略的な構成を示す図である。【００１７】
図示されているように、絵素電極３４８は、３個の多角形の透明電極部分（以下、「サブ絵素電極３４８ｕ」と呼ぶ。）を接続した形状を有しており、１つの絵素電極３４８は、対応するサブ絵素領域３４９内（ハッチングした領域内）に形成される。【００１８】
なお、各サブ絵素電極３４８ｕは、液晶分子をサブ絵素電極３４８ｕ上で略放射状に配向させるため、電極の外縁又は外周が中心点から略等距離にある多角形形状に形成されている。【００１９】
また、絵素電極３４８は、図示されてないアクティブマトリクス基板に形成されたオーバーレイヤー上にマトリクス状に配列され、各絵素電極３４８は、Ｒ（赤）、Ｇ（緑）、Ｂ（青）の各色に対応し、上記アクティブマトリクス基板と対向するように配置された対向基板に略矩形形状に形成されたカラーフィルター２０５Ｒ・２０５Ｇ・２０５Ｂと対向するように配置されている。【００２０】
図示されているように、絵素電極３４８は、ＴＦＤ（Ｔｈｉｎ  Ｆｉｌｍ  Ｄｉｏｄｅ）３２０と接続される配線、すなわち、接続部分３４８ｃを有しており、接続部分３４８ｃは、絵素電極３４８と同一の材料であるＩＴＯ（Ｉｎｄｉｕｍ  Ｔｉｎ  Ｏｘｉｄｅ）などで形成されている。【００２１】
この接続部分３４８ｃは、サブ絵素領域３４９内における最も下側に位置するサブ絵素電極３４８ｕの外周辺からコンタクトホール３４６の位置まで延び出ている。同一列に属する絵素電極３４８は、対応するコンタクトホール３４６の位置において、ＴＦＤ３２０を介して、１本のデータ線３１４に共通接続されている。【００２２】
一方、同一行に属する絵素電極３４８は、それぞれ１本の走査線２１４（波線部分）と対向している。【００２３】
すなわち、走査線２１４は、上記対向基板に設けられており、走査線２１４には、各サブ画素電極３４８ｕの略中心に対応する位置に開口２１４ａが形成されており、上記アクティブマトリクス基板と上記対向基板との間に電圧が印加されると、開口２１４ａとサブ画素電極３４８ｕとの相互作用により、その部分に斜め電界が生じ、液晶分子の傾倒方向が規定されるようになっている。【００２４】
したがって、上記両基板間に印加する電圧の大きさに応じて上記液晶分子の配向状態を放射状に制御することができ、上記液晶分子が放射状に配向した領域を形成できる。【００２５】
上記オーバーレイヤーは、平面視すると略円形をなす開口、すなわち、コンタクトホール３４６を有しており、絵素電極３４８の接続部分３４８ｃと、ＴＦＤ３２０およびデータ線３１４とは、このコンタクトホール３４６を介して電気的に接続されている。【００２６】
このようなオーバーレイヤー構造を有する垂直配向方式の液晶表示装置では、電圧無印加時の液晶の初期配向状態において、液晶分子は垂直方向に配向するが、コンタクトホールの上方に位置する液晶分子は、段差を有するコンタクトホールの傾斜面の影響を受けるため、その部分では液晶の配向乱れが生じることとなる。【００２７】
したがって、例えば、コンタクトホール３４６を、絵素電極３４８の有効表示領域、すなわち、サブ絵素電極３４８ｕに対応する位置または、その付近に形成した場合には、コンタクトホール３４６の部分で生じる液晶分子の配向乱れによって、上記有効表示領域の液晶分子に影響を及ぼし、表示むらなどの画質問題を招いてしまう。【００２８】
このような画質問題の発生を抑制するため、上記特許文献１の構成においては、図示されているように、コンタクトホール３４６を、サブ絵素領域３４９内における絵素電極３４８と重ならない位置であるとともに、絵素領域内、すなわち、サブ絵素領域３４９内において絵素電極３４８から最も離れた位置（サブ絵素領域３４９の角の位置）に形成している。【００２９】
上記構成によれば、コンタクトホール３４６と、有効表示領域となるサブ絵素電極３４８ｕとの距離をできる限り離すことができるので、サブ絵素電極３４８ｕの位置に対応し、表示部分となる上記有効表示領域の液晶分子は、コンタクトホール３４６の部分にて生じる液晶分子の配向乱れの影響を受け難くなる。【００３０】
したがって、上記有効表示領域における液晶分子の配向乱れの発生を抑制することができ、高品位な表示画像を表示できる液晶表示装置を実現することができると記載されている。【００３１】
さらには、コンタクトホール３４６を絵素電極３４８とは、重ならない位置に形成しているので、開口率の低下を防止することができると記載されている。
【先行技術文献】
【特許文献】
【００３２】
【特許文献１】日本国公開特許公報「特開２００５−３３８７６２号公報（２００５年１２月８日公開）」
【発明の概要】
【発明が解決しようとする課題】
【００３３】
しかしながら、上記特許文献１に記載されている構成においては、図１２に図示されているように、コンタクトホール３４６と有効表示領域となるサブ絵素電極３４８ｕとを距離的に離す必要がある構成となっており、有効表示領域となるサブ絵素電極３４８ｕの面積を大きく確保することは困難である。【００３４】
また、コンタクトホールは、後工程を考慮し、順テーパー形状に形成されるのが一般的であり、このような場合、コンタクトホールは、順テーパー部分、すなわち、傾斜領域を有することとなる。【００３５】
このような傾斜領域を含むコンタクトホールは、液晶分子の配向乱れの原因となるが、この配向乱れが生じた領域を視認されないように遮光する場合は、液晶表示パネルおよび液晶表示装置の開口率と透過率との低下を招いてしまう。【００３６】
したがって、このような構成によっては、高開口率および高透過率を有する液晶表示パネルおよび液晶表示装置を実現するのは困難である。【００３７】
本発明は、上記の問題点に鑑みてなされたものであり、高品位な表示ができるとともに、高開口率および高透過率を有する液晶表示パネルと、高品位な表示を行いながらも低消費電力で表示を行える液晶表示装置とを提供することを目的とする。
【課題を解決するための手段】
【００３８】
本発明の液晶表示パネルは、上記の課題を解決するために、第１の絶縁基板と、第２の絶縁基板と、上記第１の絶縁基板と上記第２の絶縁基板との間に挟持された負の誘電異方性を示す液晶層と、複数の絵素とを備えた液晶表示パネルであって、上記複数の絵素の各絵素において、同様に上記液晶層の液晶分子が複数の異なる方向に配向されるように、上記第１の絶縁基板および上記第２の絶縁基板の内の何れか一方の基板における上記液晶層と接する側の面には、配向分割手段として突起および／または、切欠き部を有する共通電極が形成されており、上記第１の絶縁基板および上記第２の絶縁基板の内の他方の基板における上記液晶層と接する側の面には、走査信号線と、データ信号線と、絵素電極とが形成されており、上記絵素電極には、切欠き部と、凸部とが備えられており、上記絵素電極は、上記絵素電極を制御するために備えられたアクティブ素子のドレイン電極と、絶縁層に形成された貫通孔を介して電気的に接続されており、上記他方の基板において、上記絵素電極は、上記絶縁層より上記液晶層側に形成されており、上記絵素電極の凸部の少なくとも一部は、平面視において、上記貫通孔と重なるように形成されていることを特徴としている。【００３９】
上記貫通孔は、後工程を考慮し、順テーパー形状に形成されるのが一般的であり、このような場合、上記貫通孔は、段差部において傾斜領域を有することとなる。【００４０】
このような傾斜領域を含む貫通孔は、液晶分子の配向乱れを引き起こす原因となる。【００４１】
従来の構成においては、上記貫通孔の形成領域と有効表示領域となる絵素電極の形成領域とを距離的に離す必要がある構成または、有効表示領域となる絵素電極の略中央部に上記貫通孔を形成する構成が用いられていたため、有効表示領域を広く確保したり、上記貫通孔に起因して配向乱れが生じた液晶分子が、有効表示領域となる所定方向に配向された液晶分子に与える影響を小さくすることは困難であった。【００４２】
上記貫通孔が形成されている領域においては、その傾斜領域形状に起因して、液晶分子の配向乱れが生じ、高精細な液晶表示パネルのように１絵素サイズが小さい場合などでは、その影響が無視できなくなっている。したがって、上記貫通孔の微小なパターンの仕上がりばらつきや製造工程に起因する傾斜領域形状の微小な差異による液晶分子の配向乱れの違いが、ざらつきなどの表示不具合を引き起こすこととなる。【００４３】
また、上記貫通孔が形成されている領域、すなわち、液晶分子の配向乱れが生じている領域は、その周辺の液晶分子の配向にも影響を及ぼし、ざらつきなどの表示不具合は、さらに視認されやすくなる。【００４４】
上記構成によれば、上記絵素電極の凸部の少なくとも一部は、平面視において、上記貫通孔と重なるように形成されている。【００４５】
このような構成によれば、上記貫通孔に起因して配向乱れが生じた液晶分子が、有効表示領域となる所定方向に配向された液晶分子に与える影響を小さくすることができ、ざらつきなどの表示不具合を抑制することができる。【００４６】
したがって、高品位な表示ができるとともに、高開口率および高透過率を有する液晶表示パネルを実現することができる。【００４７】
なお、上記貫通孔とは、アクティブ素子のドレイン電極と絵素電極との実質的接触部のみならず、絶縁層の傾斜部の領域（上記傾斜領域）も含むものとする。【００４８】
本発明の液晶表示装置は、上記の課題を解決するために、上記液晶表示パネルを備えていることを特徴としている。【００４９】
上記構成によれば、ざらつきなどの表示品位の劣化を効果的に抑制しながらも高開口率および高透過率を確保できる液晶表示パネルを備えているため、高品位な表示を行いながらも、低消費電力である優れた液晶表示装置を実現できる。
【発明の効果】
【００５０】
本発明の液晶表示パネルは、以上のように、上記複数の絵素の各絵素において、同様に上記液晶層の液晶分子が複数の異なる方向に配向されるように、上記第１の絶縁基板および上記第２の絶縁基板の内の何れか一方の基板における上記液晶層と接する側の面には、配向分割手段として突起および／または、切欠き部を有する共通電極が形成されており、上記第１の絶縁基板および上記第２の絶縁基板の内の他方の基板における上記液晶層と接する側の面には、走査信号線と、データ信号線と、絵素電極とが形成されており、上記絵素電極には、切欠き部と、凸部とが備えられており、上記絵素電極は、上記絵素電極を制御するために備えられたアクティブ素子のドレイン電極と、絶縁層に形成された貫通孔を介して電気的に接続されており、上記他方の基板において、上記絵素電極は、上記絶縁層より上記液晶層側に形成されており、上記絵素電極の凸部の少なくとも一部は、平面視において、上記貫通孔と重なるように形成されている構成である。【００５１】
本発明の液晶表示装置は、以上のように、上記液晶表示パネルを備えている構成である。【００５２】
それゆえ、高品位な表示ができるとともに、高開口率および高透過率を有する液晶表示パネルを得ることができる。さらには、このような液晶表示パネルを備えた液晶表示装置は、バックライト輝度を低減させることができるため、低消費電力での表示を実現することができる。
【図面の簡単な説明】
【００５３】
【図１】本発明の一実施の形態の液晶表示装置のアレイ基板に備えられた絵素電極の概略的な形状を示す図である。
【図２】本発明の一実施の形態の液晶表示装置の概略構成を示す図である。
【図３】本発明の一実施の形態の液晶表示装置に備えられたアレイ基板の概略構成を示す図である。
【図４】絵素電極に凸部と上記凸部を配置できる凹部とが備えられてない従来のアレイ基板と、絵素電極に凸部と上記凸部を配置できる凹部とが備えられているアレイ基板との有効開口部面積率の差を説明するための図である。
【図５】本発明の他の実施の形態の液晶表示装置のアレイ基板に備えられた絵素電極の概略的な形状を示す図である。
【図６】本発明の他の実施の形態の液晶表示装置のアレイ基板に備えられた絵素電極の概略的な形状および対向基板の対向電極上に配向分割手段として設けられた突起部の模様を示す図である。
【図７】本発明のさらに他の実施の形態の液晶表示装置のアレイ基板に備えられた絵素電極の概略的な形状および対向基板の対向電極上に配向分割手段として設けられた突起部の模様を示す図である。
【図８】本発明の他の実施の形態の液晶表示装置のアレイ基板に備えられた絵素電極の概略的な形状および対向基板の対向電極上に形成されたフォトスペーサーの模様を示す図である。
【図９】本発明のさらに他の実施の形態の液晶表示装置のアレイ基板に備えられた絵素電極の概略的な形状および対向基板の対向電極上に配向分割手段として設けられた突起部の模様を示す図である。
【図１０】本発明のさらに他の実施の形態の液晶表示装置のアレイ基板に備えられた絵素電極の概略的な形状および対向基板の対向電極上に配向分割手段として設けられた突起部の模様を示す図である。
【図１１】本発明の他の実施の形態の液晶表示装置のアレイ基板に備えられた絵素電極の概略的な形状および対向基板に備えられたブラックマトリクスの模様を示す図である。
【図１２】従来の垂直配向方式の液晶表示装置における絵素電極の概略的な構成を示す図である。
【発明を実施するための形態】
【００５４】
以下、図面に基づいて本発明の実施の形態について詳しく説明する。ただし、この実施の形態に記載されている構成部品の寸法、材質、形状、その相対配置などはあくまで一実施形態に過ぎず、これらによってこの発明の範囲が限定解釈されるべきではない。
【００５５】
〔実施の形態１〕
以下、図１〜図４に基づいて、本発明の第１の実施形態について説明する。
【００５６】
本実施の形態においては、１絵素領域を複数のドメインに分割したＭＶＡ（Ｍｕｌｔｉｄｏｍａｉｎ  Ｖｅｒｔｉｃａｌ  Ａｌｉｇｎｍｅｎｔ）方式の液晶表示パネルを備えた液晶表示装置（以下、ＭＶＡ型液晶表示装置と称する）について説明する。
【００５７】
なお、上記１絵素領域とは、ＴＦＴ素子（アクティブ素子）に直接接続された絵素電極に相当する領域のみを指すものではなく、ＴＦＴ素子または、ＴＦＴ素子に接続された絵素電極と、結合容量を介して接続された副絵素電極の領域も含む。さらには、ＴＦＴ素子に接続された絵素電極と副絵素電極を一体としてみた場合の領域も含む。
【００５８】
以下、図２に基づき、本発明のＭＶＡ型液晶表示パネル１２を備えたＭＶＡ型液晶表示装置１３の構成について説明する。
【００５９】
図２は、本発明の一実施の形態の液晶表示装置１３の概略構成を示す図である。
【００６０】
図示されているように、液晶表示パネル１２は、第１の基板（第１の絶縁基板）としてのアレイ基板１と、第２の基板（第２の絶縁基板）としての対向基板５との間に、誘電異方性が負の液晶材料からなる液晶層９を挟持した構成となっている。
【００６１】
アレイ基板１には、絶縁性基板としてのガラス基板２と、ガラス基板２上に形成された図示してないＴＦＴ素子と上記ＴＦＴ素子と電気的に接続された配線とを含むＴＦＴ素子形成層と、上記ＴＦＴ素子形成層上に形成された層間絶縁膜３（絶縁層）と、層間絶縁膜３に形成された図示してないコンタクトホールを介して、上記ＴＦＴ素子のドレイン電極と電気的に接続された絵素電極４とが備えられ、さらに、絵素電極４の液晶層９と接する側の面には、図示してない垂直配向膜が形成された構造となっている。
【００６２】
絵素電極４は、凸部と切欠き部とを備えており、図２においては、上記切欠き部の一部４ｃを示している。なお、絵素電極４の凸部および切欠き部についての詳細は後述する。
【００６３】
一方、対向基板５には、絶縁性基板としてのガラス基板６と、ガラス基板６上に形成された対向電極７（共通電極）と、対向電極７上に形成された配向分割手段としての突起部８とが備えられ、さらに、対向電極７および突起部８の液晶層９と接する側の面には、図示してない垂直配向膜が形成された構造となっている。
【００６４】
また、アレイ基板１において、液晶層９と接する側の反対側の面には偏光板１０が、対向基板５において、液晶層９と接する側の反対側の面には偏光板１１が、それぞれ備えられている。
【００６５】
また、本実施の形態において、対向基板５には、配向分割手段として突起状構造物である突起部８を形成しているが、これに限定されることはなく、対向電極７を切開した切開部（切欠き部）を配向分割手段として用いることもできる。また、突起部８の断面形状は、図２に示す形状に限定されず、その断面形状は、例えば、三角形状または、台形状などであってもよい。
【００６６】
また、本実施の形態においては、突起部８は、可視光領域の透過率が高い感光性レジストを用いて所定形状に形成しているが、これに限定されることはない。
【００６７】
また、本実施の形態においては、アレイ基板１の各絵素毎に設けられた絵素電極４に対して、図示してない、例えば、赤色・緑色・青色のカラーフィルター層をガラス基板６と対向電極７との間に設けているが、これに限定されることはなく、上記カラーフィルター層をアレイ基板１側に設けたＣＯＡ（Ｃｏｌｏｒ  Ｆｉｌｔｅｒ  Ｏｎ  Ａｒｒａｙ）構造としてもよい。
【００６８】
以下、図３に基づき、液晶表示装置１３に備えられたアレイ基板１の構成について詳しく説明する。
【００６９】
図３は、本発明の一実施の形態の液晶表示装置１３に備えられたアレイ基板１の概略構成を示す図である。
【００７０】
図示されているように、アレイ基板１には、各絵素ＰＩＸがマトリクス状に配された表示領域Ｒ１と、表示領域Ｒ１に画像表示を行うために必要とされる信号を供給するデータ信号線駆動回路１９および走査信号線駆動回路２０とが備えられている。
【００７１】
本実施の形態においては、液晶表示装置１３における額縁領域を狭小化するため、表示領域Ｒ１の周辺領域に、データ信号線駆動回路１９と走査信号線駆動回路２０とを、表示領域Ｒ１の各絵素ＰＩＸに設けられたＴＦＴ素子１６とモノリシックに形成しているが、これに限定されることはなく、大型液晶表示装置のように額縁領域の狭小化が比較的に重要視されない場合などにおいては、フレキシブルプリント基板などを介してデータ信号線駆動回路１９と走査信号線駆動回路２０とを外付けで設けてもよい。
【００７２】
また、ＴＦＴ素子１６の半導体層（図１の半導体層１８）が非晶質半導体層である場合には、走査信号線駆動回路２０のみをＴＦＴ素子１６とモノリシックに形成することが好ましい。
【００７３】
アレイ基板１の表示領域Ｒ１には、図示されているように、複数のデータ信号線ＳＬ１・ＳＬ２・・・と複数の走査信号線ＧＬ１・ＧＬ２・・・とが設けられており、データ信号線ＳＬ１・ＳＬ２・・・と走査信号線ＧＬ１・ＧＬ２・・・との各交差部には、ＴＦＴ素子１６が設けられている。
【００７４】
データ信号線駆動回路１９から入力された画像信号は、走査信号線駆動回路２０から各走査信号線ＧＬ１・ＧＬ２・・・にハイレベルの走査信号が順次供給され、各走査信号線ＧＬ１・ＧＬ２・・・に接続されているＴＦＴ素子１６がＯＮとなった時に、データ信号線ＳＬ１・ＳＬ２・・・に接続されたＴＦＴ素子１６のソース電極を介して、ＴＦＴ素子１６のドレイン電極に接続された絵素電極に供給されるようになっている。
【００７５】
なお、図３において、液晶容量ＣＬは、ＴＦＴ素子１６のドレイン電極に接続された絵素電極と液晶層と対向電極とで構成される容量を示し、蓄積容量Ｃｓは、ＴＦＴ素子１６のドレイン電極に接続された蓄積容量対向電極と層間絶縁膜と蓄積容量配線に接続された蓄積容量電極とで構成される容量を示す。また、図３においては、走査信号線ＧＬ１・ＧＬ２・・・と平行に形成される複数の蓄積容量配線は、省略している。
【００７６】
また、本実施の形態においては、各絵素毎に蓄積容量Ｃｓを備えた構成としているが、これに限定されることはなく、蓄積容量Ｃｓは適宜省略することもできる。
【００７７】
以下、図１に基づいて、アレイ基板１に備えられた絵素電極４について詳細に説明する。
【００７８】
図１は、本実施の形態の液晶表示装置１３のアレイ基板１に備えられた絵素電極４の概略的な形状を示す図である。
【００７９】
本実施の形態の液晶表示装置１３においては、赤色絵素、緑色絵素および青色絵素の３個の絵素が１組となって、略正方形の１つの画素を形成し、上記３個の絵素それぞれは、図示されているように略長方形に形成されている。
【００８０】
上記各絵素毎に形成されている絵素電極４には、凸部４ａと、凹部４ｂと、１絵素における蓄積容量配線ＣＳｎ−２・ＣＳｎ−１・ＣＳｎ・・・が形成されている側の２隅が切り欠かれた切欠き部４ｃとが備えられている。
【００８１】
絵素電極４は、絵素電極４の凸部４ａにおいて、層間絶縁膜に形成されたコンタクトホール１７（貫通孔）を介してＴＦＴ素子１６のドレイン電極と電気的に接続されている。すなわち、コンタクトホール１７は、後述する蓄積容量対向電極１５上に形成されている。
【００８２】
コンタクトホール１７は、後工程を考慮し、順テーパー形状に形成されるのが一般的であり、このような場合、段差部において傾斜領域を有することとなる。
【００８３】
図１に示すコンタクトホール１７は、ＴＦＴ素子１６のドレイン電極と絵素電極４との実質的接触部のみならず、層間絶縁膜の傾斜部の領域（上記傾斜領域）も含むものとする。
【００８４】
なお、本実施の形態において、コンタクトホール１７の形状は、図１に図示されているように、平面視において長方形形状に形成しているが、これに限定されることはなく、例えば、楕円形状や円形状などで形成することもできる。
【００８５】
このようなコンタクトホール１７が形成されている領域においては、その段差形状に起因して、液晶分子の配向乱れが生じ、高精細な液晶表示装置のように１絵素サイズが小さい場合などでは、その影響が無視できなくなっている。したがって、コンタクトホール１７の微小なパターンの仕上がりばらつきによる液晶分子の配向乱れの違いが、ざらつきなどの表示不具合を引き起こす。
【００８６】
また、コンタクトホール１７が形成されている領域、すなわち、液晶分子の配向乱れが生じている領域は、その周辺の液晶分子の配向にも影響を及ぼし、ざらつきなどの表示不具合は、さらに視認されやすくなる。
【００８７】
図示されているように、アレイ基板１においては、絵素電極４の凸部４ａの少なくとも一部は、平面視において、コンタクトホール１７と重なるように形成されている。
【００８８】
このような構成によれば、コンタクトホール１７に起因して配向乱れが生じた液晶分子が、有効表示領域となる所定方向に配向された液晶分子に与える影響を小さくすることができ、ざらつきなどの表示不具合を抑制することができる。
【００８９】
なお、絵素電極４は、ＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの導電性材料で形成することができる。なお、絵素電極４のパターニングは、ＩＴＯ膜または、ＩＺＯ膜上に所定パターンを有するレジスト膜を形成し、上記レジスト膜をマスクとして、上記ＩＴＯ膜または、上記ＩＺＯ膜をエッチングすることにより、行うことができる。
【００９０】
以上のように、液晶表示装置１３においては、絵素電極４の凸部４ａの少なくとも一部は、平面視において、上記傾斜領域を含むコンタクトホール１７と重なるように形成されている。
【００９１】
したがって、上記傾斜領域を含むコンタクトホール１７において配向乱れが生じた液晶分子が、有効表示領域となる所定方向に配向された液晶分子に与える影響を小さくすることができ、ざらつきなどの表示不具合をさらに抑制することができる。
【００９２】
また、図示されているように、液晶表示装置１３の絵素電極４には、対向基板５側に備えられた配向分割手段である突起部８の傾斜とほぼ同じになるように、絵素電極４を略三角形状に切り欠いて得られた凹部４ｂが備えられている。
【００９３】
なお、絵素電極４の凹部４ｂは、該凹部４ｂと最隣接絵素の絵素電極４の凸部４ａを配置することができる（一部収容できる）形状に形成されている。
【００９４】
以上のように、絵素電極４の凹部４ｂは、配向分割手段であるとともに、該凹部４ｂと最隣接絵素の絵素電極４の凸部４ａを配置することができるようになっている。
【００９５】
このような構成であるため、有効表示領域として用いることのできなかった絵素電極４の凹部４ｂ部分を効率的に利用することができ、有効開口部面積率を高めることができるので、高開口率および高透過率を有する液晶表示装置１３を実現することができる。
【００９６】
なお、従来構成と比較して有効開口部面積率が高くなる具体例については、後述する。
【００９７】
また、本実施の形態においては、絵素電極４の凸部４ａおよび凹部４ｂは、何れも略三角形状に形成されているが、これに限定されることはなく、凹部４ｂに凸部４ａを配置できる形状であれば特に限定されない。
【００９８】
さらに、本実施の形態においては、絵素電極４の凹部４ｂの少なくとも一部は、対向基板５側に備えられた配向分割手段である突起部８と、平面視において略平行に形成しているが、これに限定されることはなく、凹部４ｂに凸部４ａを配置できる形状であれば特に限定されない。
【００９９】
なお、図１に示すように、本実施の形態においては、絵素電極４の凸部４ａと、平面視において、重なるように形成されているコンタクトホール１７は、後述する蓄積容量Ｃｓ形成部とも平面視において、重なるように形成されている。
【０１００】
蓄積容量Ｃｓ形成部は、走査信号線ＧＬｎ−１・ＧＬｎ・・・と同一層で形成されているとともに、蓄積容量配線ＣＳｎ−２・ＣＳｎ−１・ＣＳｎ・・・に接続され、隣接する絵素の絵素電極４の凹部４ｂまで形成されている蓄積容量電極１４と、図示されてない絶縁層と、データ信号線ＳＬｍ−１・ＳＬｍ・・・と同一層で形成されているとともに、ＴＦＴ素子１６のドレイン電極に接続され、蓄積容量電極１４と対向し、上記絶縁層を挟むように形成された蓄積容量対向電極１５とで構成されている。
【０１０１】
上記構成によれば、液晶分子の配向乱れが生じるコンタクトホール１７と、メタル層を備え光を透過させることができない蓄積容量Ｃｓ形成部とを、平面視において少なくとも一部が重なるように形成しているため、高開口率および高透過率を有する液晶表示装置１３を実現することができる。
【０１０２】
なお、走査信号線ＧＬｎ−１・ＧＬｎ・・・、蓄積容量配線ＣＳｎ−２・ＣＳｎ−１・ＣＳｎ・・・、データ信号線ＳＬｍ−１・ＳＬｍ・・・、蓄積容量電極１４、蓄積容量対向電極１５は、Ｍｏ、Ｔａ、Ｗ、Ｔｉ、Ａｌ、Ｃｕ、Ｃｒ、Ｎｄなどから選ばれた元素、あるいは前記元素を主成分とする合金材料もしくは化合物材料を用いて形成することができるが、これらに限定されることはない。
【０１０３】
また、図１に図示されているように、絵素電極４には、対向基板５側に備えられた配向分割手段である突起部８の傾斜とほぼ同じになるように、１絵素における蓄積容量配線ＣＳｎ−２・ＣＳｎ−１・ＣＳｎ・・・が形成されている側の２隅が切り欠かれた切欠き部４ｃが備えられている。
【０１０４】
したがって、この切欠き部４ｃは、配向分割手段として機能するようになっている。
【０１０５】
また、図１に図示されているように、アレイ基板１において、走査信号線ＧＬｎ−１・ＧＬｎ・・・と、対向基板５側に備えられた配向分割手段である突起部８とは、平面視において一部重なるように形成されている。
【０１０６】
さらに、絵素電極４は、該絵素電極４と電気的に接続されたＴＦＴ素子１６に走査信号を供給する走査信号線ＧＬｎ−１・ＧＬｎ・・・とは、平面視において重ならず、隣接する他の走査信号線と重なるようになっている。
【０１０７】
以上のように、本実施の形態においては、絵素電極４の切欠き部４ｃは、対向基板５側に備えられた配向分割手段である突起部８と、平面視において略平行に形成しているが、これに限定されることはない。
【０１０８】
以下、図４に基づいて、従来構成と比較して有効開口部面積率が高くなる具体例について説明する。
【０１０９】
図４は、絵素電極に凸部と上記凸部を配置できる凹部とが備えられてない従来のアレイ基板と、絵素電極に凸部と上記凸部を配置できる凹部とが備えられているアレイ基板との有効開口部面積率の差を説明するための図である。
【０１１０】
図４の（ａ）は、従来のアレイ基板１００に備えられた絵素電極１０４の概略的な形状を示す図であり、図４の（ｂ）は、実施の形態４でその構成を詳細に説明する本発明の他の実施の形態の液晶表示装置のアレイ基板１ｂに備えられた絵素電極４の概略的な形状を示す図である。
【０１１１】
図４の（ａ）に示す従来のアレイ基板１００に備えられた絵素電極１０４には、絵素電極に凸部と上記凸部を配置できる凹部とが備えられてない。
【０１１２】
したがって、コンタクトホール１１７の形成領域の周りにおいては、液晶分子の配向乱れが発生しやすい構造となっており、製造工程における微小な仕上がりのばらつきの差が、ざらつきとして視認されやすい構成となっている。
【０１１３】
なお、従来のアレイ基板１００に備えられた各絵素のサイズを縦幅６３．５μｍ、横幅１９０．５μｍとした場合、メタル部材などの光非透過部形成領域および配向分割手段の形成領域の面積を除いた部分の各絵素の面積と各絵素の全体面積との比を示す有効開口部面積率は、３１．６％であるのに対し、図４の（ａ）の場合と各絵素のサイズが同じである図４の（ｂ）に示すアレイ基板１ｂにおいては、絵素電極４に凸部４ａと凸部４ａを配置できる凹部４ｂとが備えられているため、上記有効開口部面積率は、３４．９％となる。
【０１１４】
すなわち、図４の（ｂ）に示すアレイ基板１ｂに備えられた絵素電極４の形状を用いた場合、図４の（ａ）に示す従来の構成と比較して各絵素において、上記有効開口部面積率が３．３％増加し、１画素においては、略１０％増加することとなる。
【０１１５】
なお、図４の（ａ）における、絵素電極１０４の切欠き部１０４ａ・１０４ｂ、突起部１０８、蓄積容量電極１１４、蓄積容量対向電極１１５、ＴＦＴ素子１１６および半導体層１１８の各機能は、図１に示す各部材と同様であるため、その説明を省略する。
【０１１６】
〔実施の形態２〕
次に、図５に基づいて、本発明の第２の実施形態について説明する。本実施の形態は、走査信号線ＧＬｎ−１・ＧＬｎ・・・上に、走査信号線ＧＬｎ−１・ＧＬｎ・・・の電界をシールドするシールド電極２１が設けられている点において、実施の形態１とは異なっており、その他の構成については実施の形態１において説明したとおりである。説明の便宜上、上記の実施の形態１の図面に示した部材と同じ機能を有する部材については、同じ符号を付し、その説明を省略する。
【０１１７】
図５は、本実施の形態の液晶表示装置のアレイ基板１ａに備えられた絵素電極４の概略的な形状を示す図である。
【０１１８】
図５においては、図１と同様に、絵素電極４の凸部４ａは、隣接する絵素における絵素電極４の凹部４ｂに隣接して配置されている。
【０１１９】
このような配置を有する高精細な液晶表示装置においては、配向分割手段である絵素電極４の凹部４ｂを配置する箇所は制限されており、図示されているように、走査信号線ＧＬｎ−１・ＧＬｎ・・・上に絵素電極４の凹部４ｂが形成され、走査信号線ＧＬｎ−１・ＧＬｎ・・・の一部が露出する場合がある。
【０１２０】
このような構成においては、走査信号線ＧＬｎ−１・ＧＬｎ・・・近傍にシールド電極２１を設けることが好ましい。
【０１２１】
また、シールド電極２１は、隣接絵素の絵素電極４または、データ信号線ＳＬｍ−１・ＳＬｍ・・・と同一層で形成されることが好ましい。
【０１２２】
走査信号線ＧＬｎ−１・ＧＬｎ・・・近傍にシールド電極２１が設けられてなく、走査信号線ＧＬｎ−１・ＧＬｎ・・・の一部が露出されている構成においては、電圧保持期間中（走査信号線ＧＬｎ−１・ＧＬｎ・・・にロウレベルの電位が印加されている期間中）に、該当箇所にて不純物イオンがトラップされ、トラップされた箇所が特異点となって液晶の配向不良が生じ、液晶表示装置の表示不良を招いてしまう。
【０１２３】
以上のように、シールド電極２１を備えた構成とすることにより、走査信号線ＧＬｎ−１・ＧＬｎ・・・の電界をシールドすることができるので、上述した液晶表示装置の表示不良を抑制することができる。
【０１２４】
〔実施の形態３〕
次に、図６に基づいて、本発明の第３の実施形態について説明する。本実施の形態は、対向基板５の対向電極７上に配向分割手段として突起部８とともに、さらに他の突起部８ａ（第２の突起）が、アレイ基板１ａに備えられたコンタクトホール１７の上側領域（コンタクトホール１７の端部）と平面視において重なるように設けられている点において、実施の形態２とは異なっており、その他の構成については実施の形態１および２において説明したとおりである。説明の便宜上、上記の実施の形態１および２の図面に示した部材と同じ機能を有する部材については、同じ符号を付し、その説明を省略する。
【０１２５】
図６は、本実施の形態の液晶表示装置のアレイ基板１ａに備えられた絵素電極４の概略的な形状および対向基板５の対向電極７上に配向分割手段として設けられた突起部８・８ａの模様を示す図である。
【０１２６】
図示されているように、アレイ基板１ａに備えられたコンタクトホール１７の上側領域、すなわち、アレイ基板１ａに備えられたコンタクトホール１７におけるシールド電極２１側は、対向基板５の対向電極７上に配向分割手段として設けられた突起部８ａと、平面視において重なるように設けられている。
【０１２７】
以上のように、コンタクトホール１７の上側領域、すなわち、アレイ基板１ａに備えられたコンタクトホール１７におけるシールド電極２１側に、配向分割手段である突起部８ａを配置することで、液晶分子の配向を対向基板５に備えられた配向分割手段である突起部８・８ａに沿って連続的に並ぶように規制することができる。
【０１２８】
したがって、コンタクトホール１７周りの液晶分子の配向乱れを抑制することができ、アレイ基板１ａおよび対向基板５の製造ばらつきなどによる液晶分子の配向乱れの差が生じるのを抑制することができる。よって、上記構成によれば、ざらつきなどの表示品位の劣化を効果的に抑制することができる液晶表示装置を実現することができる。
【０１２９】
なお、対向基板５の対向電極７上に配向分割手段として設けられた突起部８ａは、補助的なもので十分な効果が得られる。
【０１３０】
また、本実施の形態においては、突起部８と突起部８ａとは、可視光領域の透過率が高い感光性レジストを用いて所定形状に形成しているが、これに限定されることはない。
【０１３１】
なお、本実施の形態においては、突起部８ａを対向基板５側に設けているが、これに限定されることはなく、アレイ基板１ａ側に設けることもできる。
【０１３２】
〔実施の形態４〕
次に、図７に基づいて、本発明の第４の実施形態について説明する。本実施の形態は、絵素電極４のＶ字型の凹部４ｂの先端に、補助配向分割手段４ｄ（第２の切欠き部）が設けられている点において、実施の形態３とは異なっており、その他の構成については実施の形態１〜３において説明したとおりである。説明の便宜上、上記の実施の形態１〜３の図面に示した部材と同じ機能を有する部材については、同じ符号を付し、その説明を省略する。
【０１３３】
図７は、本実施の形態の液晶表示装置のアレイ基板１ｂに備えられた絵素電極４の概略的な形状および対向基板５の対向電極７上に配向分割手段として設けられた突起部８・８ａの模様を示す図である。
【０１３４】
図示されているように、絵素電極４のＶ字型の凹部４ｂの先端には、補助配向分割手段４ｄが設けられており、この補助配向分割手段４ｄを設けることにより、走査信号線ＧＬｎ−１・ＧＬｎ・・・が一部露出されるため、このような場合においては、実施の形態２で説明したシールド電極２１を走査信号線ＧＬｎ−１・ＧＬｎ・・・の一部露出箇所を覆うように設けることが好ましい。
【０１３５】
上記構成によれば、補助配向分割手段４ｄが設けられた絵素電極４のＶ字型の凹部４ｂの先端近傍における液晶分子の配向規制力を向上させることができ、より効果的に液晶分子を配向させることができる。
【０１３６】
したがって、ざらつきなどの表示品位の劣化を効果的に抑制することができる液晶表示装置を実現することができる。
【０１３７】
〔実施の形態５〕
次に、図８に基づいて、本発明の第５の実施形態について説明する。本実施の形態は、アレイ基板１と対向基板５との間のセル厚を一定に保つ役割をする対向基板５側に設けられたフォトスペーサー２２が、隣接する絵素間であり、隣接する２つの絵素電極４の切欠き部４ｃの中間領域に配置されるように設けられている点において、実施の形態１〜４とは異なっており、その他の構成については実施の形態１〜４において説明したとおりである。説明の便宜上、上記の実施の形態１〜４の図面に示した部材と同じ機能を有する部材については、同じ符号を付し、その説明を省略する。
【０１３８】
図８は、本実施の形態の液晶表示装置のアレイ基板１ａに備えられた絵素電極４の概略的な形状および対向基板５の対向電極７上に形成されたフォトスペーサー２２の模様を示す図である。
【０１３９】
本実施の形態においては、図示されているように、アレイ基板１と対向基板５との間のセル厚を一定に保つ役割をする対向基板５側に設けられたフォトスペーサー２２は、隣接する絵素間であり、隣接する２つの絵素電極４の切欠き部４ｃの中間領域に配置されるように設けられているが、これに限定されず、絵素電極４の切欠き部４ｃに形成されていればよい。
【０１４０】
フォトスペーサー２２を設ける個数は、アレイ基板１と対向基板５との間のセル厚を一定に保つことができるのであれば、特に限定されないが、例えば、特定の色の隣接する絵素間に配置するなどしてもよい。
【０１４１】
なお、本実施の形態においては、フォトスペーサー２２は、可視光領域の透過率が高い感光性レジストを用いて所定形状に形成しているが、これに限定されることはない。
【０１４２】
上記構成によれば、アレイ基板１ａにおいて、絵素電極４のない平坦部にフォトスペーサー２２を置くことができ、セル厚の保持精度を高めることができる。
【０１４３】
また、通常、フォトスペーサー２２の形成領域周辺では、液晶分子の配向乱れが生じやすいが、絵素電極４の切欠き部４ｃにフォトスペーサー２２を配置することにより、所定方向に配向された液晶分子を有する有効表示領域への液晶分子の配向乱れの波及を抑制することができる。
【０１４４】
したがって、ざらつきなどの表示品位の劣化を効果的に抑制することができる液晶表示装置を実現することができる。
【０１４５】
〔実施の形態６〕
次に、図９に基づいて、本発明の第６の実施形態について説明する。本実施の形態は、各絵素が縦長形状に形成されている点において、実施の形態１〜５とは異なっており、その他の構成については実施の形態１〜５において説明したとおりである。説明の便宜上、上記の実施の形態１〜５の図面に示した部材と同じ機能を有する部材については、同じ符号を付し、その説明を省略する。
【０１４６】
図９は、本実施の形態の液晶表示装置のアレイ基板１ｃに備えられた絵素電極４の概略的な形状および対向基板５の対向電極７上に配向分割手段として設けられた突起部８・８ａの模様を示す図である。
【０１４７】
図示されているように、上述した実施の形態１〜５においては、各絵素が横長形状（各絵素の長手方向が図中の左右方向）に形成されている場合について説明したが、本実施の形態の液晶表示装置のアレイ基板１ｃに備えられた各絵素は、縦長形状（各絵素の長手方向が図中の上下方向）に形成されている。
【０１４８】
なお、本実施の形態においては、図示されているように、蓄積容量対向電極１５を用いて、実施の形態２で上述したシールド電極２１を形成している。
【０１４９】
以上のように、各絵素が、縦長形状に形成されている場合においては、実施の形態２で上述したシールド電極２１をデータ信号線ＳＬｍ−１・ＳＬｍ・・・や蓄積容量対向電極１５を用いて容易に形成できる点以外においては、各絵素が縦長形状に形成されていても、各絵素が横長形状に形成されている場合と同様の効果を得ることができる。
【０１５０】
〔実施の形態７〕
次に、図１０に基づいて、本発明の第７の実施形態について説明する。本実施の形態は、対向基板５の対向電極７上に配向分割手段として設けられた突起部８ｂ・８ｃ・８ｄの数を増加させるともに、アレイ基板１ｄの絵素電極４には、配向分割手段として切開部４ｅ・４ｆを設けた場合を示している点において、実施の形態１〜６とは異なっており、その他の構成については実施の形態１〜６において説明したとおりである。説明の便宜上、上記の実施の形態１〜６の図面に示した部材と同じ機能を有する部材については、同じ符号を付し、その説明を省略する。
【０１５１】
図１０は、本実施の形態の液晶表示装置のアレイ基板１ｄに備えられた絵素電極４の概略的な形状および対向基板５の対向電極７上に配向分割手段として設けられた突起部の模様を示す図である。
【０１５２】
図示されているように、対向基板５の対向電極７上には、配向分割手段として突起部８ｂ・８ｃ・８ｄが形成されており、一方、絵素電極４には、突起部８ｂ・８ｃ・８ｄと同方向に延びる切開部４ｅ・４ｆが形成されている。
【０１５３】
以上のように、１絵素内において、配向分割手段の数を増加させた場合でも、絵素電極４の凸部４ａを、コンタクトホール１７と平面視において重なるように配置し、かつ隣接絵素の配向分割手段である絵素電極４の凹部４ｂと隣接させて配置することにより、ざらつきなどの表示品位の劣化を効果的に抑制することができる高品位な液晶表示装置を実現することができる。
【０１５４】
また、図示されているように、対向基板５の対向電極７上に、配向分割手段としてさらに突起部８ｄ（第２の突起）を、コンタクトホール１７の周辺領域（コンタクトホール１７の端部）に配置されるように設けることにより、コンタクトホール１７の周辺領域における液晶分子の配向の乱れをさらに効果的に抑制することができる。
【０１５５】
〔実施の形態８〕
次に、図１１に基づいて、本発明の第８の実施形態について説明する。本実施の形態は、平面視において、絵素電極４の凸部４ａと重なる対向基板５の少なくとも一部に、遮光体としてブラックマトリクス２３が形成されている点において、実施の形態１〜７とは異なっており、その他の構成については実施の形態１〜７において説明したとおりである。説明の便宜上、上記の実施の形態１〜７の図面に示した部材と同じ機能を有する部材については、同じ符号を付し、その説明を省略する。
【０１５６】
図１１は、本実施の形態の液晶表示装置のアレイ基板１ａに備えられた絵素電極４の概略的な形状および対向基板５に備えられたブラックマトリクス２３の模様を示す図である。
【０１５７】
ブラックマトリクス２３は、平面視において、絵素電極４の凸部４ａと重なる対向基板５の少なくとも一部に形成されることが好ましい。
【０１５８】
本実施の形態においては、コンタクトホール１７が形成されている領域における液晶分子の配向乱れ、光漏れ、反射光の光漏れをより効果的に遮光するとともに、隣接絵素の異なる色の混色を抑制するため、各絵素を取り囲むように、平面視において、絵素電極４の凸部４ａと、ＴＦＴ素子１６の形成領域と、蓄積容量配線ＣＳｎ−２・ＣＳｎ−１・ＣＳｎ・・・の形成領域と、データ信号線ＳＬｍ−１・ＳＬｍ・・・の形成領域と重なる対向基板５の領域にブラックマトリクス２３を形成しているが、これに限定されることはない。
【０１５９】
なお、本実施の形態においては、ブラックマトリクス２３として、カーボンブラックを含む感光性樹脂を用いたが、これに限定されることはない。
【０１６０】
本発明の液晶表示パネルにおいて、上記絵素電極には、一方の絵素電極に隣接する他方の絵素電極の凸部を少なくとも一部収容できるように、上記絵素電極の一部が切欠かれた凹部が備えられていることが好ましい。
【０１６１】
上記構成によれば、上記絵素電極の凹部は、該凹部と最隣接絵素の絵素電極の凸部を配置することができる形状に形成されている。
【０１６２】
このような構成であるため、有効表示領域として用いることのできなかった絵素電極の凹部部分を効率的に利用することができ、高開口率および高透過率を有する液晶表示パネルを実現することができる。
【０１６３】
本発明の液晶表示パネルにおいて、上記絵素電極の凹部の少なくとも一部は、上記一方の基板における上記液晶層と接する側の面に、配向分割手段として形成された突起および／または、共通電極の切欠き部と、平面視において略平行に形成されていることが好ましい。
【０１６４】
上記構成によれば、上記絵素電極の凹部は、該凹部と最隣接絵素の絵素電極の凸部を配置することができる形状に形成されているとともに、さらに、上記絵素電極の凹部の少なくとも一部は、配向分割手段として機能するようになっている。
【０１６５】
このような構成であるため、有効表示領域として用いることのできなかった絵素電極の凹部部分をより効率的に利用することができ、貫通孔に起因する配向乱れの影響を抑制するとともに、高開口率および高透過率を有する液晶表示パネルを実現することができる。
【０１６６】
本発明の液晶表示パネルにおいては、上記他方の基板における上記液晶層と接する側の面に備えられた配線は、シールド電極より上記基板側に形成されており、上記絵素電極の凹部において、上記配線の一部が露出されている箇所の少なくとも一部は、平面視において、上記シールド電極と重なるように形成されていることが好ましい。
【０１６７】
上記アクティブ素子を制御するための配線の一部が露出されている箇所において、上記シールド電極が設けられてない場合には、当該配線の電位変化の影響を受けて液晶の配向が乱されたり、当該箇所にて不純物イオンがトラップされ、トラップされた箇所が特異点となって液晶の配向不良が生じるなどして、液晶表示パネルの表示不良を招いてしまう。
【０１６８】
したがって、上記シールド電極を備えた構成とすることにより、上記配線の電界をシールドすることができるので、上述した液晶表示パネルの表示不良を抑制することができる。
【０１６９】
本発明の液晶表示パネルにおいて、上記絵素電極の凹部には、上記凹部の一部が切欠かれた配向分割手段として第２の切欠き部が形成されていることが好ましい。
【０１７０】
上記構成によれば、上記第２の切欠き部が設けられた絵素電極の凹部において、液晶分子の配向規制力を向上させることができ、より効果的に液晶分子を配向させることができる。
【０１７１】
したがって、ざらつきなどの表示品位の劣化を効果的に抑制することができる液晶表示パネルを実現することができる。
【０１７２】
本発明の液晶表示パネルにおいて、上記絵素電極の凸部の少なくとも一部は、平面視において、上記アクティブ素子のドレイン電極に接続された蓄積容量対向電極と絶縁層と蓄積容量配線に接続された蓄積容量電極とで構成される蓄積容量の形成領域と重なるように形成されていることが好ましい。
【０１７３】
上記構成によれば、上記絵素電極の凸部の少なくとも一部が、メタル層などを備え、光を透過させることができない蓄積容量の形成領域と、平面視において少なくとも一部が重なるように形成しているため、高開口率および高透過率を有する液晶表示パネルを実現することができる。
【０１７４】
本発明の液晶表示パネルにおいて、一部が露出された上記配線は、上記走査信号線であり、上記シールド電極は、上記絵素電極または、上記データ信号線と同一層によって形成されていることが好ましい。
【０１７５】
上記走査信号線が露出されている箇所において、上記シールド電極が設けられてない場合には、上記走査信号線にロウレベルの電位が印加されている期間中に、該当箇所にて不純物イオンがトラップされ、トラップされた箇所が特異点となって液晶の配向不良が生じ、液晶表示パネルの表示不良を招いてしまう。
【０１７６】
上記構成によれば、上記シールド電極を容易に形成することができるとともに、上述した液晶表示パネルの表示不良を抑制することができる。
【０１７７】
本発明の液晶表示パネルにおいて、上記第１の絶縁基板および上記第２の絶縁基板の何れか一方の基板における上記液晶層と接する側の面には、第２の突起が、上記貫通孔の端部の少なくとも一部と、平面視において重なるように形成されていることが好ましい。
【０１７８】
上記構成によれば、上記貫通孔周りの液晶分子の配向乱れを抑制することができ、製造ばらつきなどによる液晶分子の配向乱れの差が生じるのを抑制することができる。したがって、ざらつきなどの表示品位の劣化を効果的に抑制することができる液晶表示パネルを実現することができる。
【０１７９】
本発明の液晶表示パネルにおいて、上記液晶層の厚さを保持するためのフォトスペーサーは、上記絵素電極の切欠き部に形成されていることが好ましい。
【０１８０】
上記構成によれば、上記絵素電極のない平坦部に上記フォトスペーサーを置くことができ、上記液晶層の厚さの保持精度を高めることができる。
【０１８１】
また、通常フォトスペーサーの周辺領域では液晶分子の配向乱れが生じやすいが、上記絵素電極の切欠き部にフォトスペーサーを配置することにより、所定方向に配向された液晶分子を有する有効表示領域への液晶分子の配向乱れの波及を抑制することができる。
【０１８２】
したがって、ざらつきなどの表示品位の劣化を効果的に抑制することができる液晶表示パネルを実現することができる。
【０１８３】
本発明の液晶表示パネルは、平面視において、上記絵素電極の凸部における上記貫通孔と重なる上記第１の絶縁基板および上記第２の絶縁基板の何れか一方の基板における上記液晶層と接する側の面には、少なくとも一部遮光層が形成されていることが好ましい。
【０１８４】
上記構成によれば、平面視において、上記絵素電極の凸部における上記貫通孔と重なる上記第１の絶縁基板および上記第２の絶縁基板の何れか一方の基板における上記液晶層と接する側の面には、少なくとも一部遮光層が形成されているため、上記貫通孔が形成されている領域における液晶分子の配向乱れ、光漏れ、反射光の光漏れをより効果的に遮光することができる。
【０１８５】
本発明は上記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０１８６】
本発明は、ＭＶＡ型の液晶表示装置の表示品位向上、実装コスト削減を図る技術として有効であり、特に車載、フォトフレーム、ＩＡ（Ｉｎｄｕｓｔｒｉａｌ  Ａｐｐｌｉａｎｃｅ）、ＰＣ（Ｐｅｒｓｏｎａｌ  Ｃｏｍｐｕｔｅｒ）などのモバイル中型クラスの製品に搭載される液晶表示装置に特に有用である。
【符号の説明】
【０１８７】
１、１ａ、１ｂ、１ｃ、１ｄ    アレイ基板
２                          ガラス基板（第１の絶縁基板）
３                          層間絶縁膜（絶縁層）
４                          絵素電極
４ａ                        凸部
４ｂ                        凹部
４ｃ                        切欠き部
４ｄ                        補助配向分割手段（第２の切欠き部）
５                          対向基板
６                          ガラス基板（第２の絶縁基板）
７                          対向電極（共通電極）
８                          突起部（突起）
８ａ・８ｄ                  突起部（第２の突起）
９                          液晶層
１２                        液晶表示パネル
１３                        液晶表示装置
１４                        蓄積容量電極
１５                        蓄積容量対向電極
１６                        ＴＦＴ素子（アクティブ素子）
１７                        コンタクトホール（貫通孔）
１８                        半導体層
２１                        シールド電極
２２                        フォトスペーサー
２３                        ブラックマトリクス（遮光層）
ＳＬｍ                      データ信号線
ＧＬｎ                      走査信号線
ＰＩＸ                      絵素
ＣＳ                        蓄積容量
Ｒ１                        表示領域
【図１】
2011104956.tif 000003
【図２】
2011104956.tif 000004
【図３】
2011104956.tif 000005
【図４】
2011104956.tif 000006
【図５】
2011104956.tif 000007
【図６】
2011104956.tif 000008
【図７】
2011104956.tif 000009
【図８】
2011104956.tif 000010
【図９】
2011104956.tif 000011
【図１０】
2011104956.tif 000012
【図１１】
2011104956.tif 000013
【図１２】
2011104956.tif 000014
【国際調査報告】
2011104956.tif 000015
2011104956.tif 000016
2011104956.tif 000017
2011104956.tif 000018